(57)【要約】【課題】  非通紙部領域における温度上昇を抑制し得ると共に、熱分布を効率よく制御でき、発熱効率のよい電力供給が可能な誘導過熱定着装置を提供する。【解決手段】  励磁コイルに交流電源から電流を流すことにより、磁場を発生させ、定着ローラまたはフイルムの渦電流を発生させ、定着ローラまたはフイルムの発熱により非加熱材を過熱する電磁誘導定着装置において、遮蔽手段は非通紙部の幅が通紙部の幅よりも大きい幅を有する金属で構成され、通紙部の金属を前記励磁コイルの片側に対向させる。【選択図】  図１
2005326747.tif 000002
【特許請求の範囲】
【請求項１】
少なくとも励磁コイルを有する磁場発生手段と、
定着ローラまたはフィルムと、
前記励磁コイルの磁束を遮蔽する磁気遮蔽手段とを有し、
前記磁場発生手段、または前期磁気遮蔽手段が移動可能な電磁誘導定着装置において、
前記遮蔽手段は非通紙部の幅が通紙部の幅よりも大きい幅を有する金属で構成され、通紙部の金属を前記励磁コイルの片側に対向させた、
ことを特徴とする電磁誘導定着装置。
【請求項２】
請求項１において、前記遮蔽手段は非通紙部の幅が通紙部の幅よりも大きい幅を有する金属で構成され、非通紙部、通紙部の金属共に前記励磁コイルの片側に対向させたことを特徴とする電磁誘導定着装置。
【請求項３】
請求項１又は２のいずれかにおいて、前記遮蔽手段は通紙される紙サイズに応じて、非通紙部の幅が通紙部の幅よりも大きく、異なる幅を有する金属で構成されていることを特徴とする電磁誘導定着装置。
【発明の詳細な説明】
【技術分野】
【０００１】
本発明は、電子写真式の複写機、プリンタおよびファクシミリなどの画像形成装置に用いられる定着装置に関し、さらに詳しくは、誘導加熱を利用してトナー像を記録媒体に定着する定着装置に関する。
【背景技術】
【０００２】
従来、特開平１０−７４００９号公報に示されるように、公報の図１で説明すると、従来の誘導加熱定着装置は、金属スリーブ１１と励磁コイル１８との間に、励磁コイル１８から金属スリーブ１１へ届く磁束の一部を遮蔽する磁束遮蔽手段３１を配置し、該磁束遮蔽手段３１の位置を、金属スリーブ１１における通紙範囲に応じて、変位手段４０により変化させることにより、通紙する記録材１４のサイズの種類によらず昇温される金属スリーブ１１の熱分布をコントロール可能としている。
【０００３】
また、変位手段４０は、磁気遮蔽３１に連結されるワイヤ３３と、ワイヤ３３が装架される回転自在なプーリ３６と、プーリ３６を回転駆動させるモータ３４を有しており、モータ３４の駆動により磁束遮蔽板３１を図中矢印方向に進退動させている。
【特許文献１】特開平１０−７４００９号公報
【特許文献２】特開平０５−０２７６３９号公報
【発明の開示】
【発明が解決しようとする課題】
【０００４】
しかしながら、上記公報に示される従来の定着装置では、磁気遮蔽３１を支える手段としてワイヤを必要とすると共に磁気遮蔽を必要としないときの待避する空間を、装置奥または手前に必要とし、また、センター基準に装置においては、装置奥および手前の両側に磁気遮蔽を必要としていた。
【０００５】
本出願に係る第１の発明の目的は装置奥または手前に、遮蔽手段を待避する空間を必要とせず大サイズ、小サイズの通紙モードによらず、発熱効率のよい最適な電力供給ができ、定着ローラの非通紙部領域における温度上昇を抑制できる。
【０００６】
また、センター基準の装置においても、一体化された磁気遮蔽構造にでき、強度、耐熱性の高い磁気遮蔽機構にすることができる誘導加熱定着装置を提供することを目的とする。
【０００７】
本出願に係る第２の発明の目的は第１の発明の目的に加えて、移動量の少ない磁気遮蔽機構を有し大サイズ、小サイズの通紙モードによらず、より発熱効率のよい最適な電力供給ができ、定着ローラの非通紙部領域における温度上昇を抑制できる誘導加熱定着装置を提供することを目的とする。
【０００８】
本出願に係る第３の発明の目的は第１又は第２の発明の目的に加えて、複数の通紙モードにおうじて、端部温度を最適にし、より発熱効率のよい最適な電力供給ができ、定着ローラの非通紙部領域における温度上昇を抑制できる誘導加熱定着装置を提供することを目的とする。
【課題を解決するための手段】
【０００９】
上記目的を達成するため、本出願に係る第１の発明は、少なくとも励磁コイルを有する磁場発生手段と、定着ローラまたはフィルムと、非通紙部の幅が通紙部の幅よりも大きい幅を有する金属で構成された磁気遮蔽手段を有することを特徴とする電磁誘導定着装置。
【００１０】
上記構成においてこのように構成される誘導加熱定着装置では、前記励磁コイルに電流を流すことにより、前記磁場発生手段に磁場を発生させ、前記定着ローラに渦電流を発生させ、前記定着ローラの発熱により被加熱材を加熱する電磁誘導定着装置において、通紙部域の前記磁気遮蔽手段の金属部を前記励磁コイルの片側に対向させることにより達成される。
【００１１】
したがって、本出願に係る第１の発明の誘導加熱定着装置によれば、装置奥または手前に、遮蔽手段を待避する空間を必要とせず強度、耐熱性の高い磁気遮蔽機構を有し大サイズ、小サイズの通紙モードによらず、発熱効率のよい最適な電力供給ができ、定着ローラの非通紙部領域における温度上昇を抑制できる。
【００１２】
上記目的を達成するため、本出願に係る第２の発明は、上記１の発明において、前記遮蔽手段を前記励磁コイルに対向配置できる手段を有することを特徴とする電磁誘導定着装置である。
【００１３】
上記構成において非通紙部、通紙部の金属共に前記励磁コイルの片側に対向させることにより達成される。
【００１４】
したがって、本出願に係る第２の発明の誘導加熱定着装置によれば、移動量の少ない磁気遮蔽機構を有し大サイズ、小サイズの通紙モードによらず、より発熱効率のよい最適な電力供給ができ、定着ローラの非通紙部領域における温度上昇を抑制できる。
【００１５】
上記目的を達成するため、本出願に係る第３の発明は、上記１または２の発明において、前記遮蔽手段は非通紙部の幅が通紙部の幅よりも大きく、異なる幅を有する金属で構成されていることを特徴とする電磁誘導定着装置である。
【００１６】
上記構成において通紙される紙サイズに応じて、前記磁気遮蔽部材を配置することにより達成される。
【００１７】
したがって、本出願に係る第３の発明の誘導加熱定着装置によれば、複数の通紙モードに応じて、端部温度を最適にし、より発熱効率のよい最適な電力供給ができ、定着ローラの非通紙部領域における温度上昇を抑制できる誘導加熱定着装置を提供することができる。
【発明の効果】
【００１８】
以上説明したように、本出願に係る第１の発明の誘導加熱定着装置によれば、前記励磁コイルに電流を流すことにより、前記磁場発生手段に磁場を発生させ、前記定着ローラに渦電流を発生させ、前記定着ローラの発熱により被加熱材を加熱する電磁誘導定着装置において、非通紙部の幅が通紙部の幅よりも大きい幅を有する金属で構成された磁気遮蔽手段の通紙部域の金属部を前記励磁コイルの片側に対向させることにより、装置奥または手前に、遮蔽手段を待避する空間を必要とせず強度、耐熱性の高い磁気遮蔽機構を有し大サイズ、小サイズの通紙モードによらず、発熱効率のよい最適な電力供給ができ、定着ローラの非通紙部領域における温度上昇を抑制できる。
【００１９】
また、本出願に係る第２の発明の誘導加熱定着装置によれば、非通紙部、通紙部の金属共に前記励磁コイルの片側に対向させることにより、移動量の少ない磁気遮蔽機構を有し大サイズ、小サイズの通紙モードによらず、より発熱効率のよい最適な電力供給ができ、定着ローラの非通紙部領域における温度上昇を抑制できる。
【００２０】
また、本出願に係る第３の発明の誘導加熱定着装置によれば、非通紙部の幅が通紙部の幅よりも大きく、異なる幅を有する金属で構成されている磁気遮蔽部材を通紙される紙サイズに応じて、配置することにより、複数の通紙モードに応じて、端部温度を最適にし、より発熱効率のよい最適な電力供給ができ、定着ローラの非通紙部領域における温度上昇を抑制できる誘導加熱定着装置を提供することができる。
【発明を実施するための最良の形態】
【００２１】
《実施の形態１》
以下、本発明の実施例を図面に基づいて説明する。
【００２２】
図１（ａ）は、本発明の実施例に係る誘導加熱定着装置を概略で示す断面図である。
（ｂ）は本発明の実施例に係る誘導加熱定着装置の磁気遮蔽手段の一例である。
【００２３】
図２（ａ）は、本発明の実施例に係る誘導加熱定着装置を概略で、小サイズ通紙時、通紙部の示す断面図で、図２（ｂ）は、小サイズ通紙時、非通紙部の示す断面図で、図２（ｃ）は、大サイズ通紙時、通紙部の示す断面図で、図２（ｄ）は、大サイズ通紙時、非通紙部の示す断面図である。
【００２４】
図１（ａ）、（ｂ）において、１は定着ローラ、または定着フィルム、２は励磁コイル、３は磁性コア、４は磁場発生手段、５は加圧ローラの芯金、６は加圧ローラの弾性材層、７は加圧ローラ、８は温度検知素子、２０は磁気遮蔽手段であり、また、図２の９は磁束を示している。
【００２５】
図１に示す誘導加熱定着装置は、誘導加熱される加熱用回転体としての定着ローラ１と加圧ローラ７との圧接部である定着ニップ部Ｎに未定着トナー画像ｔを形成した記録紙Ｐを導入して挟持搬送させて、定着ローラ１の熱により未定着トナー画像ｔを記録紙Ｐ上に加熱定着させるヒートローラタイプである。
【００２６】
定着ローラ１は、磁性金属層の円筒状ローラであり、その両端部側を装置の不図示のシャーシ側板間に回転自由に軸受け保持させて配設してある。
【００２７】
この定着ローラ１は不図示の駆動系により矢印ａの反時計方向に所定の周速度にて回転駆動される。
【００２８】
加圧ローラ７は、芯金５と、この芯金回りに同心一体にローラ状に成形被覆させた、シリコーンゴム、フッ素ゴム、フッ素樹脂などの耐熱性・弾性材層６とで構成されており、上記の定着ローラ１の下側に、芯金５の両端部側を装置の不図示のシャーシ側板間に回転自由に軸受け保持させると共に、不図示の付勢手段により定着ローラ１の下面に対して所定の押圧力で圧接させて配設されており、加圧ローラ７の耐熱性・弾性材層６が定着ローラ１との圧接部で弾性に抗して変形することによって定着ローラ１との間に被加熱材加熱部としての所定幅の定着ニップ部Ｎが形成される。加圧ローラ７は定着ローラ１の回転駆動に従動して回転する、あるいは回転駆動される。
【００２９】
４は磁場発生手段であり、励磁コイル２と、横断面Ｉ字型の磁性コア（励磁鉄心）３と磁気遮蔽手段２０とのアセンブリである。励磁コイル２を含む磁場発生手段４は定着ローラ１の内側に挿入して配設してある。励磁コイル２は銅線を一方向に複数回巻いて形成され、磁性コア３は励磁コイル２の銅線と直交するように配置され磁路を形成する。磁性コア３は磁性材からなり、例えば、フェライトコアまたは積層コアからなる。
【００３０】
上記の定着ローラ１内に挿入配設した磁場発生手段４は、その両端部側を装置の不図示のシャーシ側板間に固定して非回転に支持させてあり、定着ローラ１の内周面との間に所定の隙間を存して定着ローラ１の内周面に対して非接触に配設してある。
【００３１】
而して、定着ローラ１が回転駆動され、加圧ローラ７も回転し、磁場発生手段４の励磁コイル２に高周波電流が印加されることで発生する交番磁場により定着ローラ１の磁性金属に高周波誘導電流が誘起されて該磁性金属層が電磁誘導発熱し、定着ローラ１が加熱され、所定の温度に立ち上がった状態において、定着ニップ部Ｎに被加熱材としての記録紙Ｐが導入されて挟持搬送されることで、定着ローラ１の熱とニップ圧により未定着トナー画像が記録紙Ｐ上に熱圧定着させる。
【００３２】
８はサーミスタ等の温度検知素子であり、定着ローラ１の温度を検知し、定着ローラ１の温度が最適温度になるよう、励磁コイル２への通電が制御される。
【００３３】
磁気遮蔽手段２０は励磁コイル２と定着ローラ１の間で回転移動可能に設けられており、磁気遮蔽手段２０を回転移動することによって、定着ローラの発熱範囲を制御できる構成になっている。
【００３４】
図１（ｂ）において、磁気遮蔽手段２０の一例で、磁気遮蔽手段２０は実線でしめした大型サイズ紙Pの長さを有し、破線でしめした小型サイズ紙Pの長さの部分の幅を小さくしてある。磁気遮蔽手段２０の材料としては、鉄、ニッケルなどの定着ローラ１の材料に対し、体積抵抗率がより低い銅、アルミニウムなどの非磁性金属材料、または、磁束による発熱量の少ないフェライトなどの材料が適している。
【００３５】
大型サイズの紙を通紙する時は、図２（ｃ）、（ｄ）の様に、通紙部、非通紙部の磁気遮蔽手段２０の回転位置を磁束９の少ない励磁コイル２と反対の位置へ移動し、長手方向全体に対して、励磁コイル２からの磁束９を遮蔽することなく、紙の通紙域の定着ローラ１を加熱できるようにし、磁気遮蔽手段２０による発熱効率が落ちることも防いでいる。
【００３６】
また、小サイズの紙を通紙する時は、図２（ｂ）の様に非通紙域の磁気遮蔽手段２０の回転位置を磁性コア３を挟む励磁コイル２の全面に移動し、磁気遮蔽手段２０により、励磁コイル２から、定着ローラ１への磁束９を遮断し、紙の非通紙域の定着ローラ１での電磁誘導発熱を抑えることができる。
【００３７】
また、図２（ａ）の様に通紙域の磁気遮蔽手段２０の回転位置を、片側の励磁コイル２の全面に移動させることにより、図から、容易に解るように、磁気遮蔽手段２０は周辺の磁場を乱さず、即ち、定着ローラ１への磁束９を遮断せず、紙の通紙域の定着ローラ１での電磁誘導発熱をさせることができる。
【００３８】
すなわち、非通紙部の幅が通紙部の幅よりも大きい幅を有する金属で構成された磁気遮蔽手段２０の通紙部域の金属部を前記励磁コイル２の片側に対向させることにより、装置奥または手前に、磁気遮蔽手段２０を待避する空間を必要とせず強度、耐熱性の高い磁気遮蔽機構を有し大サイズ、小サイズの通紙モードによらず、発熱効率のよい最適な電力供給ができ、定着ローラ１の非通紙部領域における温度上昇を抑制できる。
【００３９】
《実施の形態２》
以下、本発明の第２の実施例を図面に基づいて説明する。
【００４０】
本発明の実施例に係る誘導加熱定着装置を概略で示す断面図は図１（ａ），（ｂ）と同じである。
【００４１】
図３（ａ）は、本発明の実施例に係る誘導加熱定着装置を概略で、小サイズ通紙時、通紙部の示す断面図で、図３（ｂ）は、小サイズ通紙時、非通紙部の示す断面図で、図３（ｃ）は、大サイズ通紙時、通紙部の示す断面図で、図３（ｄ）は、大サイズ通紙時、非通紙部の示す断面図である。
【００４２】
装置全体の構成は図１に示す上記第１の実施形態のものと同様であるため、装置全体の説明を省く。
【００４３】
図３に示す誘導加熱定着装置において、大型サイズの紙を通紙する時は、図３（ｃ）、（ｄ）の様に、通紙部、非通紙部の磁気遮蔽手段２０の回転位置を非通紙部、通紙部の金属共に前記励磁コイル２に対向させる位置へ移動し、長手方向全体に対して、励磁コイル２からの磁束９を遮蔽することなく、紙の通紙域の定着ローラ１を加熱できるようにし、磁気遮蔽手段２０による発熱効率が落ちることも防いでいる。
【００４４】
また、小サイズの紙を通紙する時は、図２（ｂ）の様に非通紙域の磁気遮蔽手段２０の回転位置を磁性コア３を挟む励磁コイル２の全面に移動し、磁気遮蔽手段２０により、励磁コイル２から、定着ローラ１への磁束２を遮断し、紙の非通紙域の定着ローラ１での電磁誘導発熱を抑えることができる。
【００４５】
また、図２（ａ）の様に通紙域の磁気遮蔽手段の回転位置を、片側の励磁コイル２の全面に移動させることにより、図から、容易に解るように、磁気遮蔽手段２０は周辺の磁場を乱さず、即ち、定着ローラ１への磁束９を遮断せず、紙の通紙域の定着ローラ１での電磁誘導発熱をさせることができる。
【００４６】
したがって、非通紙部、通紙部の金属共に前記励磁コイル２の片側に対向させることにより、移動量の少ない磁気遮蔽機構２０を有し大サイズ、小サイズの通紙モードによらず、より発熱効率のよい最適な電力供給ができ、定着ローラの非通紙部領域における温度上昇を抑制できる。
【００４７】
《実施の形態３》
以下、本発明の第３の実施例を図面に基づいて説明する。
【００４８】
図４は本発明の実施の形態３に係る誘導加熱定着装置の概略図で、（ａ）は磁気遮蔽手段の一例である。
【００４９】
図５は本発明の実施の形態３に係る誘導加熱定着装置の概略図で、（ａ１）、（ａ２）、（ａ３）は小サイズ紙通紙時の断面図、（ｂ１）、（ｂ２）、（ｂ３）は中サイズ紙通紙時の断面図、（ｃ１）、（ｃ２）、（ｃ３）は大サイズ紙通紙時の断面図、また（ａ１）、（ｂ１）、（ｃ１）は図４のｄ１の位置での断面図、（ａ２）、（ｂ２）、（ｃ２）は図４のｄ２の位置での断面図、（ａ３）、（ｂ３）、（ｃ３）は図４のｄ３の位置での断面図である。図４において、２１は磁場遮蔽手段である。
【００５０】
装置全体の構成は図１に示す上記第１の実施形態のものと同様であるため、装置全体の説明を省く。
【００５１】
図４に示す磁場遮蔽手段２１は紙Pの通紙域に応じて、磁場遮蔽手段２１の幅を変化させ、小サイズの紙の通紙域を狭くしている。図５の（ａ１）、（ａ２）、（ａ３）は小サイズ紙通紙時の断面図で、（ａ１）は図４のｄ１の位置での断面図で、図３（ａ）（ｃ）（ｄ）の様に磁気遮蔽手段２０は周辺の磁場を乱さず、即ち、定着ローラ１への磁束９を遮断せず、紙の通紙域の定着ローラ１での電磁誘導発熱をさせることができる。（ａ２）は図４のｄ２の位置での断面図、図３（ｂ）の様に磁気遮蔽手段２１により、励磁コイル２から、定着ローラ１への磁束２を遮断し、紙の非通紙域の定着ローラ１での電磁誘導発熱を抑えることができる。
【００５２】
また、（ａ３）は図４のｄ３の位置での断面図で、図３（ｂ）の様に磁気遮蔽手段２１により、励磁コイル２から、定着ローラ１への磁束２を遮断し、紙の非通紙域の定着ローラ１での電磁誘導発熱を抑えることができる。
【００５３】
すなわち、小サイズの紙が通過する定着ローラ１の通紙域を加熱し、定着ローラ１の非通紙域は、磁気遮蔽手段により、加熱が抑えられ、温度上昇が抑えられている。
【００５４】
図５の（ｂ１）、（ｂ２）、（ｂ３）は中サイズ紙通紙時の断面図で、（ｂ１）は図４のｄ１の位置での断面図で、図３（ａ）（ｃ）（ｄ）の様に磁気遮蔽手段２０は周辺の磁場を乱さず、即ち、定着ローラ１への磁束９を遮断せず、紙の通紙域の定着ローラ１での電磁誘導発熱をさせることができる。
（ｂ２）は図４のｄ２の位置での断面図、図３（ａ）（ｃ）（ｄ）の様に磁気遮蔽手段２０は周辺の磁場を乱さず、即ち、定着ローラ１への磁束９を遮断せず、紙の通紙域の定着ローラ１での電磁誘導発熱をさせることができる。また、（ｂ３）は図４のｄ３の位置での断面図で、図３（ｂ）の様に磁気遮蔽手段２１により、励磁コイル２から、定着ローラ１への磁束２を遮断し、紙の非通紙域の定着ローラ１での電磁誘導発熱を抑えることができる。
【００５５】
すなわち、中サイズの紙が通過する定着ローラ１の通紙域を加熱し、定着ローラ１の非通紙域は、磁気遮蔽手段により、加熱が抑えられ、温度上昇が抑えられている。
【００５６】
図５の（ｃ１）、（ｃ２）、（ｃ３）は中サイズ紙通紙時の断面図で、（ｃ１）は図４のｄ１の位置での断面図で、図３（ａ）（ｃ）（ｄ）の様に磁気遮蔽手段２０は周辺の磁場を乱さず、即ち、定着ローラ１への磁束９を遮断せず、紙の通紙域の定着ローラ１での電磁誘導発熱をさせることができる。（ｃ２）は図４のｄ２の位置での断面図、図３（ａ）（ｃ）（ｄ）の様に磁気遮蔽手段２０は周辺の磁場を乱さず、即ち、定着ローラ１への磁束９を遮断せず、紙の通紙域の定着ローラ１での電磁誘導発熱をさせることができる。
【００５７】
また、（ｃ３）は図４のｄ３の位置での断面図で、図３（ａ）（ｃ）（ｄ）の様に磁気遮蔽手段２０は周辺の磁場を乱さず、即ち、定着ローラ１への磁束９を遮断せず、紙の通紙域の定着ローラ１での電磁誘導発熱をさせることができる。
【００５８】
すなわち、大サイズの紙が通過する定着ローラ１の通紙域を加熱することができる。
【００５９】
したがって、非通紙部の幅が通紙部の幅よりも大きく、異なる幅を有する金属で構成されている磁気遮蔽部材を通紙される紙サイズに応じて配置することにより、複数の通紙モードに応じて、端部温度を最適にし、より発熱効率のよい最適な電力供給ができ、定着ローラの非通紙部領域における温度上昇を抑制できる誘導加熱定着装置を提供することができる。
【図面の簡単な説明】
【００６０】
【図１】本発明の実施の形態１に係る誘導加熱定着装置の概略図で、（ａ）は断面図で、（ｂ）は磁気遮蔽手段の一例である。
【図２】本発明の実施の形態１に係る誘導加熱定着装置の概略図で（ａ）は小サイズ通紙時、通紙部の示す断面図で、（ｂ）は小サイズ通紙時、非通紙部の示す断面図で、（ｃ）は大サイズ通紙時、通紙部の示す断面図で、（ｄ）は大サイズ通紙時、非通紙部の示す断面図である。
【図３】本発明の実施の形態２に係る誘導加熱定着装置の概略図で、（ａ）は小サイズ通紙時、通紙部の示す断面図で、（ｂ）は小サイズ通紙時、非通紙部の示す断面図で、（ｃ）は大サイズ通紙時、通紙部の示す断面図で、（ｄ）は大サイズ通紙時、非通紙部の示す断面図である。
【図４】本発明の実施の形態３に係る誘導加熱定着装置の概略図で、（ａ）は磁気遮蔽手段の一例である。
【図５】本発明の実施の形態３に係る誘導加熱定着装置の概略図で、（ａ１）、（ａ２）、（ａ３）は小サイズ紙通紙時の断面図、（ｂ１）、（ｂ２）、（ｂ３）は中サイズ紙通紙時の断面図、（ｃ１）、（ｃ２）、（ｃ３）は大サイズ紙通紙時の断面図、また（ａ１）、（ｂ１）、（ｃ１）は図４のｄ１の位置での断面図、（ａ２）、（ｂ２）、（ｃ２）は図４のｄ１の位置での断面図、（ａ３）、（ｂ３）、（ｃ３）は図４のｄ１の位置での断面図である。
【符号の説明】
【００６１】
１  定着ローラまたはフィルム
２  励磁コイル
３  磁性コア
４  磁場発生手段
５  加圧ローラの芯金
６  加圧ローラの弾性材層
７  加圧ローラ
８  温度検知素子
２０  磁気遮蔽手段
２１  磁気遮蔽手段
【図１】
2005326747.tif 000003
【図２】
2005326747.tif 000004
【図３】
2005326747.tif 000005
【図４】
2005326747.tif 000006
【図５】
2005326747.tif 000007